(57)【要約】【課題】  磁気近接スイッチの動作範囲を縮小して断路器の開閉位置の検出精度を向上できるようにした断路器の動作確認装置を提供する。【解決手段】  断路器１の主軸２の下部に回転盤８を水平に固着し、回転盤８の下面の両端部に開路用磁気端子９と閉路用磁気端子１０を取り付け、断路器１が開及び閉の状態における開路用磁気端子９及び閉路用磁気端子１０の直下位置に開路用磁気近接スイッチ１２と閉路用磁気近接スイッチ１３を取付ステー１１で架台３に取り付ける。開路用磁気端子９は保護ケースに動作確認用磁石とインターロック用磁石を隣接するとともに動作確認用磁石とインターロック用磁石の後部に鉄片を取り付けて封止する。開路用磁気近接スイッチ１２は保護ケースに動作確認用スイッチとインターロック用スイッチを隣接して封止する。【選択図】  図２
2010267520.tif 000002
【特許請求の範囲】
【請求項１】
送電路の断路器を回動させる主軸の下部に回転盤を固着し、同回転盤に２体の磁石を所定間隔おいて取り付け、断路器が開及び閉の状態における各磁石の直近位置に磁気近接スイッチをそれぞれ設け、磁気近接スイッチが近接した磁石の磁気を検出することで断路器の開閉状態を確認できるようにした断路器の動作確認装置において、前記各磁石の後部に鉄片を取り付け、磁気近接スイッチの動作範囲を縮小して開閉位置の精度を高めるようにしたことを特徴とする、断路器の動作確認装置。
【請求項２】
磁石及び磁気近接スイッチをそれぞれ保護ケースに収容して封止した、請求項１記載の断路器の動作確認装置。
【請求項３】
開路用の磁石及び磁気近接スイッチを２体づつ近接して設け、一方の磁石及び磁気近接スイッチを動作確認用とし、他方の磁石及び磁気近接スイッチを開路状態を保持するためのインターロック用とし、磁石同士及び磁気近接スイッチ同士をそれぞれ保護ケースに収容して一体的に封止した、請求項１又は２記載の断路器の動作確認装置。
【請求項４】
断路器が開及び閉の状態において、上下の保護ケースの側面に印となる縦長のラインを直線状に一致するように表示した、請求項１〜３いずれか記載の断路器の動作確認装置。
【発明の詳細な説明】
【技術分野】
【０００１】
本発明は、磁気近接スイッチを用いて断路器の開閉動作を確認する断路器の動作確認装置に関する。
【背景技術】
【０００２】
従来の動作確認装置としては、機械式のリミットスイッチを用いた構造が知られている。この技術は、送電路の断路器を回動させる主軸の下部に回転盤を固着し、同回転盤に２個の位置検出装置を取り付け、断路器が開及び閉の状態における位置を検出することで開閉状態を確認できるようにしている。
【０００３】
ところで、前記技術では、過酷な環境により機械的な部分の錆の発生やスプリング応力の減衰により、開閉位置の検出精度が徐々に低下し、信頼性に満足できるものではなかった。一方、磁気近接スイッチを用いた非接触式の動作確認装置も知られている。しかし、磁気近接スイッチは磁界が比較的広いから、断路器が開又は閉の状態の位置に回動完了する前に動作確認装置が作動することがあり、検出精度に満足できるものではなかった。
【先行技術文献】
【特許文献】
【０００４】
【特許文献１】特開２００２−３２４４６４号公報
【発明の概要】
【発明が解決しようとする課題】
【０００５】
本発明が解決しようとする課題は、従来のこれらの問題点を解消し、磁気近接スイッチの動作範囲を縮小して断路器の開閉位置の検出精度を向上できるようにした断路器の動作確認装置を提供することにある。
【課題を解決するための手段】
【０００６】
かかる課題を解決した本発明の構成は、
１）  送電路の断路器を回動させる主軸の下部に回転盤を固着し、同回転盤に２体の磁石を所定間隔おいて取り付け、断路器が開及び閉の状態における各磁石の直近位置に磁気近接スイッチをそれぞれ設け、磁気近接スイッチが近接した磁石の磁気を検出することで断路器の開閉状態を確認できるようにした断路器の動作確認装置において、前記各磁石の後部に鉄片を取り付け、磁気近接スイッチの動作範囲を縮小して開閉位置の精度を高めるようにしたことを特徴とする、断路器の動作確認装置
２）  磁石及び磁気近接スイッチをそれぞれ保護ケースに収容して封止した、前記１）記載の断路器の動作確認装置
３）  開路用の磁石及び磁気近接スイッチを２体づつ近接して設け、一方の磁石及び磁気近接スイッチを動作確認用とし、他方の磁石及び磁気近接スイッチを開路状態を保持するためのインターロック用とし、磁石同士及び磁気近接スイッチ同士をそれぞれ保護ケースに収容して一体的に封止した、前記１）又は２）記載の断路器の動作確認装置
４）  断路器が開及び閉の状態において、上下の保護ケースの側面に印となる縦長のラインを直線状に一致するように表示した、前記１）〜３）いずれか記載の断路器の動作確認装置
にある。
【発明の効果】
【０００７】
本発明によれば、磁気近接スイッチと対向する側の磁石の磁界が鉄片で狭幅となるから、磁気近接スイッチの動作範囲が縮小し、磁気近接スイッチに磁石がほぼ同一線上に近接しないと検出しないようになり、断路器の開閉位置の検出精度が向上する。また、インターロック用の磁石を隣接する際は、磁気近接スイッチの動作範囲が狭いから直近位置に隣設でき、装置を小型化できる。
【図面の簡単な説明】
【０００８】
【図１】実施例の断路器の外観図である。
【図２】実施例の動作確認装置の正面図である。
【図３】実施例の磁気端子と磁気近接スイッチの説明図である。
【図４】実施例の動作確認装置の動作を示す説明図である。
【図５】実施例と従来例の磁気近接スイッチの検出範囲を示す比較図である。
【図６】実施例の他の例の動作確認装置の正面図である。
【図７】実施例の他の例の動作確認装置の右側面図である。
【発明を実施するための形態】
【０００９】
本発明では、磁石及び磁気近接スイッチをそれぞれ保護ケースに収容して封止すると、断路器への取り付けが容易となり、耐久性・耐水性も優れるものとなる。断路器が開及び閉の状態において、上下の保護ケースの側面に印となる縦長のラインを直線状に一致するように表示すると、開閉状態を目視で容易に確認できる。以下、本発明の実施例を図面に基づいて具体的に説明する。
【実施例】
【００１０】
図１は実施例の断路器の外観図、図２は実施例の動作確認装置の正面図、図３は実施例の磁気端子と磁気近接スイッチの説明図、図４は実施例の動作確認装置の動作を示す説明図、図５は実施例と従来例の磁気近接スイッチの検出範囲を示す比較図である。
【００１１】
図中、１は断路器、２は主軸、３は架台、４は接触子、５は固定接触子、６は碍子、７は動作確認装置、８は回転盤、９は開路用磁気端子、９ａは動作確認用磁石、９ｂはインターロック用磁石、９ｃは鉄片、９ｄはナット、９ｅは保護ケース、１０は閉路用磁気端子、１０ａはライン、１１は取付ステー、１２は開路用磁気近接スイッチ、１２ａは動作確認用スイッチ、１２ｂはインターロック用スイッチ、１２ｃは保護ケース、１２ｄはライン、１３は閉路用磁気近接スイッチ、１３ａはラインである。
【００１２】
本実施例の動作確認装置７は、図１，２に示すように、断路器１の主軸２の下部に回転盤８を水平に固着し、回転盤８の下面の両端部に開路用磁気端子９と閉路用磁気端子１０を取り付け、断路器１が開及び閉の状態における開路用磁気端子９及び閉路用磁気端子１０の直下位置に開路用磁気近接スイッチ１２と閉路用磁気近接スイッチ１３を取付ステー１１で架台３に取り付けている。
【００１３】
開路用磁気端子９は、耐食性のアルミニウム合金製の保護ケース９ｅに動作確認用磁石９ａとインターロック用磁石９ｂを隣接し、動作確認用磁石９ａとインターロック用磁石９ｂの後部に円板状の鉄片９ｃを配置し、これらをナット９ｄで固定して封止している。閉路用磁気端子１０も開路用磁気端子９と同様の構造であるが、インターロック用磁石は省略している。
【００１４】
開路用磁気近接スイッチ１２は、耐食性のアルミニウム合金製の保護ケース１２ｃに動作確認用スイッチ１２ａとインターロック用スイッチ１２ｂを隣接して封止している。閉路用磁気近接スイッチ１３も開路用磁気近接スイッチ１２と同様の構造であるが、インターロック用スイッチは省略している。開路用磁気端子９と開路用磁気近接スイッチ１２及び閉路用磁気端子１０と閉路用磁気近接スイッチ１３の直近時の隙間は５ｍｍに設定している。
【００１５】
開路用磁気端子９と閉路用磁気端子１０と開路用磁気近接スイッチ１２と閉路用磁気近接スイッチ１３の各保護ケースの側面には、断路器１が開及び閉の状態において、印となる縦長の赤色のライン１０ａ，１２ｄ，１３ａ（開路用磁気端子９のラインは図に表れず）を直線状に一致するように表示している。各磁気近接スイッチは、窒素封入型の円柱状磁気近接スイッチＰＳＭＳ−ＲＶ形（製品名）を用いた。
【００１６】
本実施例では、図４（ａ）に示すように断路器１が閉路の方向に回転すると、図２に示すように閉路用磁気近接スイッチ１３に閉路用磁気端子１０が近接して磁気を検出し、閉路の状態が確認される。図４（ｂ）に示すように断路器１が開路の方向に回転すると、開路用磁気近接スイッチ１２に開路用磁気端子９が近接して磁気を検出し、開路の状態が確認される。同時に、インターロック用スイッチ１２ｂがインターロック用磁石９ｂの磁気で作動して開路の状態がロックされる。
【００１７】
図５に示すように、本実施例では磁気近接スイッチと対向する側の磁石の磁界が鉄片で狭幅となるから、磁気近接スイッチの動作範囲が縮小し、磁気近接スイッチに磁石がほぼ同一線上に近接しないと検出しないようになり、断路器の開閉位置の検出精度が向上する。鉄片を有しない従来例では動作点が１５〜２０ｍｍであったが、本実施例では３〜５ｍｍと機械式のリミットスイッチと同等の位置で作動し、動作点が大幅に改善された。
【００１８】
図６，７に示すのは、本発明の動作確認装置を接地装置に取り付けた実施例の他の例である。図６は実施例の他の例の動作確認装置の正面図、図７は実施例の他の例の動作確認装置の右側面図である。図中、９ｆはライン、１４は接地装置、１５は支持軸、１６は接地線、１７は取付ステーである。その他、符号、構成、作用効果は実施例と同じである。
【産業上の利用可能性】
【００１９】
本発明の技術は、発電所・変電所等に利用される。
【符号の説明】
【００２０】
１  断路器
２  主軸
３  架台
４  接触子
５  固定接触子
６  碍子
７  動作確認装置
８  回転盤
９  開路用磁気端子
９ａ  動作確認用磁石
９ｂ  インターロック用磁石
９ｃ  鉄片
９ｄ  ナット
９ｅ  保護ケース
９ｆ  ライン
１０  閉路用磁気端子
１０ａ  ライン
１１  取付ステー
１２  開路用磁気近接スイッチ
１２ａ  動作確認用スイッチ
１２ｂ  インターロック用スイッチ
１２ｃ  保護ケース
１２ｄ  ライン
１３  閉路用磁気近接スイッチ
１３ａ  ライン
１４  接地装置
１５  支持軸
１６  接地線
１７  取付ステー
【図１】
2010267520.tif 000003
【図２】
2010267520.tif 000004
【図３】
2010267520.tif 000005
【図４】
2010267520.tif 000006
【図５】
2010267520.tif 000007
【図６】
2010267520.tif 000008
【図７】
2010267520.tif 000009